(57)【要約】【課題】  歩留まりの向上を容易にする液晶表示装置を提供する。【解決手段】本発明による液晶表示装置（１００）は、液晶分子を有する垂直配向型の液晶層（４００）と、第１配向膜（２７０）を有する背面基板（２００）と、前面基板（３００）とを備えている。第１配向膜（２７０）は、第１配向処理方向（ＰＤ1）に配向処理が行われた第１配向領域（ＯＲ１）と、第１配向処理方向（ＰＤ１）とは異なる第２配向処理方向（ＰＤ２）に配向処理が行われた第２配向領域（ＯＲ２）とを有している。ドレイン引出し配線（２５０）は、画素電極（２６０）と接触するコンタクト部（２５２）を有しており、コンタクト部（２５２）は、第１配向処理方向（ＰＤ１）および第２配向処理方向（ＰＤ２）の少なくとも一方を示す形状を有している。【選択図】図３
2009109767.tif 000002
【特許請求の範囲】
【請求項１】
液晶分子を有する垂直配向型の液晶層と、第１配向膜を有する背面基板と、前記液晶層を介して前記第１配向膜と対向する第２配向膜を有する前面基板とを備える液晶表示装置であって、
前記第１配向膜は、第１配向処理方向に配向処理が行われ前記液晶分子の第１プレチルト方向を規定する第１配向領域と、前記第１配向処理方向とは異なる第２配向処理方向に配向処理が行われ前記液晶分子の第２プレチルト方向を規定する第２配向領域とを有しており、
前記第２配向膜は、第３配向処理方向に配向処理が行われ前記液晶分子の第３プレチルト方向を規定する第３配向領域と、前記第３配向処理方向とは異なる第４配向処理方向に配向処理が行われ前記液晶分子の第４プレチルト方向を規定する第４配向領域とを有しており、
前記背面基板は、
画素電極と、
ゲート電極、ソース電極およびドレイン電極を有する薄膜トランジスタと、
前記ドレイン電極と電気的に接続されたドレイン引出し配線と
をさらに有しており、
前記ドレイン引出し配線は、前記画素電極と接触するコンタクト部を有しており、
前記コンタクト部は、前記第１配向処理方向および前記第２配向処理方向の少なくとも一方を示す形状を有している、液晶表示装置。
【請求項２】
前記コンタクト部の形状は切欠形状である、請求項１に記載の液晶表示装置。
【請求項３】
前記第１配向領域と前記第２配向領域との境界線は、前記コンタクト部と重なっており、
前記コンタクト部は、前記第１配向領域と重なる部分において前記第１配向処理方向を示すように切り欠けられている、請求項２に記載の液晶表示装置。
【請求項４】
前記コンタクト部は、前記第２配向領域と重なる部分において前記第２配向処理方向を示すように切り欠けられている、請求項２または３に記載の液晶表示装置。
【請求項５】
前記ドレイン引出し配線の前記コンタクト部は前記画素電極の中心近傍と重なる、請求項１から４のいずれかに記載の液晶表示装置。
【請求項６】
前記画素電極は、第１副画素電極と、第２副画素電極とを有しており、
前記ドレイン引出し配線の前記コンタクト部は、前記第１副画素電極または前記第２副画素電極の中心近傍と重なる、請求項１から４のいずれかに記載の液晶表示装置。
【請求項７】
前記第１配向処理方向と前記第２配向処理方向とは反平行であり、
前記第３配向処理方向と前記第４配向処理方向とは反平行である、請求項１から６のいずれかに記載の液晶表示装置。
【請求項８】
前記第１または第２配向処理方向と前記第３または第４配向処理方向とのなす角は９０°である、請求項７に記載の液晶表示装置。
【請求項９】
前記液晶層は、
前記第１配向領域と前記第３配向領域とに挟まれた第１液晶ドメインと、
前記第１配向領域と前記第４配向領域とに挟まれた第２液晶ドメインと、
前記第２配向領域と前記第４配向領域とに挟まれた第３液晶ドメインと、
前記第２配向領域と前記第３配向領域とに挟まれた第４液晶ドメインとを有している、請求項１から８のいずれかに記載の液晶表示装置。
【請求項１０】
前記第１、第２、第３および第４液晶ドメインのそれぞれの一部が前記コンタクト部と重なる、請求項９に記載の液晶表示装置。
【請求項１１】
前記背面基板は
前記薄膜トランジスタの前記ゲート電極および前記ソース電極とそれぞれ電気的に接続されたゲート配線およびソース配線と、
補助容量配線と
をさらに有しており、
前記補助容量配線の一部は絶縁層を介して前記コンタクト部と対向している、請求項１から１０のいずれかに記載の液晶表示装置。
【発明の詳細な説明】
【技術分野】
【０００１】
本発明は液晶表示装置に関し、より詳細には、液晶分子のプレチルト方向を規定する配向膜を備える液晶表示装置に関する。
【背景技術】
【０００２】
液晶表示装置は、携帯電話の表示部等の小型の表示装置だけでなく大型テレビジョンとしても利用されている。従来、液晶表示装置の視野角は比較的狭かったが、近年、液晶表示装置の視野角特性は改善されつつある。
【０００３】
垂直配向型の液晶層を備える液晶表示装置（ＶＡモード液晶表示装置と呼ばれることもある。）では、１つの画素領域に複数の液晶ドメインを形成する配向分割構造としてＭＶＡモードが採用されており、視野角特性の改善が図られている。ＭＶＡモード液晶表示装置は、垂直配向型液晶層を挟んで対向する一対の基板のうちの少なくとも一方の液晶層側に設けられた配向規制構造を備えており、これにより、配向方向の異なる複数の液晶ドメイン（典型的には４つの液晶ドメイン）が形成される。配向規制構造として、電極に設けられた線状のスリット（開口部）あるいはリブ（突起構造）が用いられ、液晶層の一方または両側から配向規制力が付与される。
【０００４】
配向膜によって液晶分子のプレチルト方向を規定しているＴＮモード液晶表示装置とは異なり、ＭＶＡモード液晶表示装置では、線状のスリットやリブによって配向規制力が液晶分子に付与されているため、画素領域内の液晶分子に対する配向規制力はスリットやリブからの距離に応じて異なり、画素内の液晶分子の応答速度に差が生じる。また、ＭＶＡモード液晶表示装置では、スリットやリブを設けた領域の光の透過率が低下するので、表示輝度が低下する。
【０００５】
上述の問題を回避するために、ＶＡモード液晶表示装置についても、プレチルト方向を規定する配向膜を用いた配向分割構造を採用することが検討されている（例えば、特許文献１および特許文献２参照）。特許文献１および２に開示されている液晶表示装置は、液晶層を挟んで対向する第１配向膜および第２配向膜を備えており、第１配向膜および第２配向膜のそれぞれは、液晶分子の異なる２つのプレチルト方向を規定する２つの配向領域を有している。液晶層には、第１配向膜の２つの配向領域と第２配向膜の２つの配向領域との組み合わせに応じて４つの液晶ドメインが形成され、これにより、応答速度の向上および広視野角化の両方が図られている。
【０００６】
しかしながら、特許文献３に記載されているように、プレチルト方向を規定する配向膜を備えるＶＡモード液晶表示装置では、特有の配向乱れが発生して、正面視において表示すべき中間調よりも低い輝度の領域が存在し、暗線が発生する。この暗線は、液晶ドメイン領域の隣接する画素電極の中央部だけでなく画素電極のエッジ部の少なくとも一部において発生することがある。
【０００７】
液晶ドメインと対応する画素電極のエッジの内で、それに直交し画素電極の内側に向かう方位角方向が液晶ドメインの基準配向方向と９０°超の角をなすエッジ部が存在すると、暗線が、画素電極のエッジ部よりも内側にエッジ部に略平行に発生する。本明細書において、この暗線をドメインラインとも呼ぶ。ドメインラインは、配向膜の配向処理方向に応じて異なる位置に発生する。このようなドメインラインが発生する理由は、液晶ドメインの基準配向方向と画素電極のエッジに生成される斜め電界による配向規制力の方向が互いに対向する成分を有することになるため、この部分で液晶分子の配向が乱れるからと考えられている。画素電極の中央部の暗線は、液晶ドメインの境界領域において液晶分子の配向方向が異なり、光を透過しないことにより、発生する。画素電極の中央部の暗線はディスクリネーションラインともよばれる。
【０００８】
特許文献３に開示されている液晶表示装置は、暗線の発生する領域を遮光する遮光部材を備えている。エッジ部に発生するドメインラインは、視野角に応じて変動して見えるため、このエッジ部を遮光しないと、階調反転が生じてしまう。このため、エッジ部を遮光することにより、視野角特性の低下を抑制している。また、画素電極の中央と重なるように補助容量配線等を設ける場合、これを利用して画素電極の中央部を遮光して、開口率の低下を抑制している。
【特許文献１】特開平１１−１３３４２９号公報
【特許文献２】特開平１１−３５２４８６号公報
【特許文献３】国際公開第２００６／１３２３６９号パンフレット
【発明の開示】
【発明が解決しようとする課題】
【０００９】
液晶表示装置は、一般に、製造後、設計どおりに製造されたかどうか検査される。プレチルト方向を規定する配向膜を備えるＶＡモード液晶表示装置は暗線の発生する領域を遮光するように構成されており、製造後に暗線が設計どおり遮光されているか否かの検査が行われる。なお、暗線検査は、解像度のそれほど高くない光学顕微鏡を用いて行われる。
【００１０】
ＶＡモード液晶表示装置が設計どおりに製造されていないと、暗線が異常に発生し、暗線検査において遮光構造物によって遮光されない暗線が検出される。具体的には、配向膜の配向領域に対して設計とは別の配向処理がされていたり、配向膜の配向領域のアライメントがずれると、設計段階において予め想定されている暗線とは異なる位置に、または、異なる太さの暗線が発生する。
【００１１】
このように異常な暗線が発生すると開口率が低下し、その液晶表示装置は不良品となる。この場合、液晶表示装置の歩留まりを向上させるために、暗線の異常発生の原因を解明して、同じ製造ラインにおいて後で製造される液晶表示装置において同様に異常な暗線が発生するのを防止する必要がある。しかしながら、暗線検査において、液晶表示装置に発生した暗線の有無を検出することができても、設計上の暗線の発生位置を特定することはできない。暗線の設計上の発生位置を特定するためには、設計資料を参照するか、液晶表示装置の作製工程において実際に行われた配向処理工程が適切であったかを確認せざるを得ない。このため、設計上の暗線形状を容易に特定できず、液晶表示装置の暗線検査に基づいて歩留まりを向上させることは困難である。また、暗線検査以外において表示品位の確認を行う際に遮光されてない暗線が発見されることがあるが、このときも、暗線の設計上の発生位置を容易に特定できない。
【００１２】
本発明は、上記課題を鑑みてなされたものであり、その目的は、歩留まりの向上を容易にする液晶表示装置を提供することにある。
【課題を解決するための手段】
【００１３】
本発明による液晶表示装置は、液晶分子を有する垂直配向型の液晶層と、第１配向膜を有する背面基板と、前記液晶層を介して前記第１配向膜と対向する第２配向膜を有する前面基板とを備える液晶表示装置であって、前記第１配向膜は、第１配向処理方向に配向処理が行われ前記液晶分子の第１プレチルト方向を規定する第１配向領域と、前記第１配向処理方向とは異なる第２配向処理方向に配向処理が行われ前記液晶分子の第２プレチルト方向を規定する第２配向領域とを有しており、前記第２配向膜は、第３配向処理方向に配向処理が行われ前記液晶分子の第３プレチルト方向を規定する第３配向領域と、前記第３配向処理方向とは異なる第４配向処理方向に配向処理が行われ前記液晶分子の第４プレチルト方向を規定する第４配向領域とを有しており、前記背面基板は、画素電極と、ゲート電極、ソース電極およびドレイン電極を有する薄膜トランジスタと、前記ドレイン電極と電気的に接続されたドレイン引出し配線とをさらに有しており、前記ドレイン引出し配線は、前記画素電極と接触するコンタクト部を有しており、前記コンタクト部は、前記第１配向処理方向および前記第２配向処理方向の少なくとも一方を示す形状を有している。
【００１４】
ある実施形態において、前記コンタクト部の形状は切欠形状である。
【００１５】
ある実施形態において、前記第１配向領域と前記第２配向領域との境界線は、前記コンタクト部と重なっており、前記コンタクト部は、前記第１配向領域と重なる部分において前記第１配向処理方向を示すように切り欠けられている。
【００１６】
ある実施形態において、前記コンタクト部は、前記第２配向領域と重なる部分において前記第２配向処理方向を示すように切り欠けられている。
【００１７】
ある実施形態において、前記ドレイン引出し配線の前記コンタクト部は前記画素電極の中心近傍と重なる。
【００１８】
ある実施形態において、前記画素電極は、第１副画素電極と、第２副画素電極とを有しており、前記ドレイン引出し配線の前記コンタクト部は、前記第１副画素電極または前記第２副画素電極の中心近傍と重なる。
【００１９】
ある実施形態において、前記第１配向処理方向と前記第２配向処理方向とは反平行であり、前記第３配向処理方向と前記第４配向処理方向とは反平行である。
【００２０】
ある実施形態において、前記第１または第２配向処理方向と前記第３または第４配向処理方向とのなす角は９０°である。
【００２１】
ある実施形態において、前記液晶層は、前記第１配向領域と前記第３配向領域とに挟まれた第１液晶ドメインと、前記第１配向領域と前記第４配向領域とに挟まれた第２液晶ドメインと、前記第２配向領域と前記第４配向領域とに挟まれた第３液晶ドメインと、前記第２配向領域と前記第３配向領域とに挟まれた第４液晶ドメインとを有している。
【００２２】
ある実施形態において、前記第１、第２、第３および第４液晶ドメインのそれぞれの一部が前記コンタクト部と重なる。
【００２３】
ある実施形態において、前記背面基板は前記薄膜トランジスタの前記ゲート電極および前記ソース電極とそれぞれ電気的に接続されたゲート配線およびソース配線と、補助容量配線とをさらに有しており、前記補助容量配線の一部は絶縁層を介して前記コンタクト部と対向している。
【発明の効果】
【００２４】
本発明によれば、歩留まりの向上を容易にする液晶表示装置を提供することができる。
【発明を実施するための最良の形態】
【００２５】
以下、図面を参照して、本発明による液晶表示装置の実施形態を説明する。ただし、本発明は、以下の実施形態に限定されるものではない。
【００２６】
図１に、本実施形態の液晶表示装置１００の模式図を示す。液晶表示装置１００は、第１配向膜２７０を有する背面基板２００と、第２配向膜３２０を有する前面基板３００と、垂直配向型の液晶層４００とを備えている。液晶層４００は、背面基板２００の第１配向膜２７０と前面基板３００の第２配向膜３２０との間に挟まれている。
【００２７】
背面基板２００には、複数の行および複数の列に沿ったマトリクス状の画素が設けられており、各画素には、少なくとも１つのスイッチング素子（例えば、薄膜トランジスタ）が設けられている。本明細書において「画素」とは、表示において特定の階調を表現する最小の単位を指し、カラー表示においては、例えば、Ｒ、ＧおよびＢのそれぞれの階調を表現する単位に対応し、ドットとも呼ばれる。Ｒ画素、Ｇ画素およびＢ画素の組み合わせが、１つのカラー表示画素を構成する。「画素領域」は、表示の「画素」に対応する液晶表示装置の領域を指す。また、本明細書の以下の説明において、背面基板２００をアクティブマトリクス基板とも呼び、前面基板３００を対向基板とも呼ぶ。
【００２８】
なお、図示していないが、アクティブマトリクス基板２００および対向基板３００のそれぞれには、偏光板が設けられている。したがって、２つの偏光板は液晶層４００を挟んで互いに対向するように配置されている。２つの偏光板の透過軸（偏光軸）は、互いに直交するように配置されており、一方が水平方向（行方向）、他方が垂直方向（列方向）に沿うように配置されている。また、図示していないが、液晶表示装置１００は必要に応じてバックライトを備えていてもよい。
【００２９】
第１配向膜２７０および第２配向膜３２０は、それぞれ、垂直配向膜の表面に対して、液晶分子のプレチルト角が９０°未満となるように処理されたものである。プレチルト角は、第１配向膜２７０および第２配向膜３２０の主面と、プレチルト方向に規定された液晶分子の長軸とのなす角度である。第１配向膜２７０および第２配向膜３２０により、それぞれ、液晶分子のプレチルト方向が規定されている。このような配向膜を形成する方法としては、ラビング処理を行う方法、光配向処理を行う方法、配向膜の下地に微細な構造を予め形成しておきその微細構造を配向膜の表面に反映させる方法、あるいは、ＳｉＯなどの無機物質を斜め蒸着することによって表面に微細な構造を有する配向膜を形成する方法などが知られている。ただし、量産性の観点からは、ラビング処理または光配向処理が好ましい。特に、光配向処理は、非接触で配向処理を行うので、ラビング処理のように摩擦による静電気の発生が無く、歩留まりを向上させることができる。さらに、国際公開第２００６／１２１２２０号パンフレットに記載されているように、感光性基を含む光配向膜を用いることによって、プレチルト角のばらつきを１°以下に制御することができる。感光性基としては、４−カルコン基、４’−カルコン基、クマリン基、及び、シンナモイル基からなる群より選ばれる少なくとも一つの感光性基を含むことが好ましい。
【００３０】
液晶層４００は垂直配向型であり、負の誘電率異方性の液晶分子を有している。第１配向膜２７０および第２配向膜３２０により、その近傍の液晶分子は配向膜主面の法線方向からわずかに傾いている。プレチルト角は、例えば８５°以上９０°未満である。なお、ここでは、液晶層４００はカイラル剤を有しておらず、液晶層４００に電圧を印加すると、液晶層４００内の液晶分子は配向膜２７０、３２０の配向規制力に従ってツイスト配向をとる。ただし、必要に応じて液晶層４００にカイラル剤が添加されていてもよい。液晶層４００はクロスニコル配置された偏光板と組み合わされてノーマリーブラックモードの表示を行う。
【００３１】
以下、図２を参照して、１つの画素における、第１配向膜２７０および第２配向膜３２０に規定された液晶分子のプレチルト方向、および、各液晶ドメインの中央における液晶分子の配向方向を説明する。
【００３２】
図２（ａ）には、アクティブマトリクス基板２００の第１配向膜２７０に規定された液晶分子のプレチルト方向ＰＡ１およびＰＡ２を示しており、図２（ｂ）には、対向基板３００の第２配向膜３２０に規定された液晶分子のプレチルト方向ＰＢ１およびＰＢ２を示している。図２（ｃ）には、液晶層４００に電圧を印加したときの液晶ドメインＡ〜Ｄの中央の液晶分子の配向方向、および、配向乱れによって暗く見える領域（ドメインライン）ＤＬ１〜ＤＬ４を示している。なお、ドメインラインＤＬ１〜ＤＬ４は、いわゆるディスクリネーションラインではない。
【００３３】
図２（ａ）〜図２（ｃ）には、観察者側から見たときの液晶分子の配向方向を模式的に示している。図２（ａ）〜図２（ｃ）では、円柱状の液晶分子の端部（ほぼ円形部分）が観察者に向かうようにチルトしていることを示しており、図２（ａ）〜図２（ｃ）において、第１、第２配向膜２７０、３２０の主面の法線方向に対する液晶分子の傾きはわずかである（すなわち、チルト角は比較的大きい）。上述したように、図２（ａ）および図２（ｂ）におけるプレチルト角は、例えば、８５°以上９０°未満である。
【００３４】
図２（ａ）に示すように、第１配向膜２７０は、第１配向領域ＯＲ１と第２配向領域ＯＲ２とを有している。第１配向領域ＯＲ１に規定された液晶分子は、第１配向膜２７０の主面の法線方向に対して−ｙ方向に傾いており、第１配向膜２７０の第２配向領域ＯＲ２に規定された液晶分子は、第１配向膜２７０の主面の法線方向に対して＋ｙ方向に傾いている。
【００３５】
なお、光配向処理を行う場合、第１配向膜２７０に対して紫外線を斜めから照射する。角度の点で厳密に等しいわけではないが、液晶分子は、紫外線の照射方向と同様の方向に傾いている。このため、矢印で示した方向から紫外線を斜め照射することにより、第１配向膜２７０の第１配向領域ＯＲ１において主面の法線方向に対して液晶分子が−ｙ方向に傾き、第２配向領域ＯＲ２において主面の法線方向に対して液晶分子が＋ｙ方向に傾いている。なお、このように、光配向処理の行われた配向膜を光配向膜ともいう。
【００３６】
また、図２（ｂ）に示すように、第２配向膜３２０は、第３配向領域ＯＲ３と第４配向領域ＯＲ４とを有している。第３配向領域ＯＲ３に規定された液晶分子は第２配向膜３２０の主面の法線方向に対して＋ｘ方向に傾いており、この液晶分子の−ｘ方向の端部が前面側に向いている。また、第２配向膜３２０の第４配向領域ＯＲ４に規定された液晶分子は第２配向膜３２０の主面の法線方向に対して−ｘ方向に傾いており、この液晶分子の＋ｘ方向の端部が前面側に向いている。
【００３７】
また、上述したように、光配向処理を行う場合、第２配向膜３２０に対して紫外線を斜めから照射する。角度の点で厳密に等しいわけではないが、液晶分子は、紫外線の照射方向と同様の方向に傾く。このため、矢印で示した方向から紫外線を斜め照射することにより、第２配向膜３２０の第３配向領域ＯＲ３において主面の法線方向に対して液晶分子が＋ｘ方向に傾いて−ｘ方向の端部が前面側に向いており、第４配向領域ＯＲ４において主面の法線方向に対して液晶分子が−ｘ方向に傾き＋ｘ方向の端部が前面側に向いている。
【００３８】
本明細書の説明において、配向膜に対して配向処理を行う方向を配向処理方向とよぶ。光配向処理を行うときに配向膜に照射する光の進行方向を配向膜に投影した成分を露光方向とよぶと、露光方向は配向処理方向と等しい。配向処理方向は、液晶分子の長軸に沿って配向領域に向かう方向をその配向領域に投影した方位角成分と対応している。第１、第２、第３および第４配向領域の配向処理方向をそれぞれ第１、第２、第３および第４配向処理方向とも呼ぶ。
【００３９】
第１配向膜２７０の第１配向領域ＯＲ１には、第１配向処理方向ＰＤ１に配向処理が行われており、第２配向領域ＯＲ２には、第１配向処理方向ＰＤ１とは異なる第２配向処理方向ＰＤ２に配向処理が行われている。第１配向処理方向ＰＤ１は第２配向処理方向ＰＤ２とほぼ反平行である。また、第２配向膜３２０の第３配向領域ＯＲ３には、第３配向処理方向ＰＤ３に配向処理が行われており、第４配向領域ＯＲ４には、第３配向処理方向ＰＤ３とは異なる第４配向処理方向ＰＤ４に配向処理が行われている。第３配向処理方向ＰＤ３は第４配向処理方向ＰＤ４とほぼ反平行である。
【００４０】
第１配向膜２７０において、第１配向領域ＯＲ１および第２配向領域ＯＲ２の境界線は列方向（ｙ方向）に延びている。また、第２配向膜３２０において第３配向領域ＯＲ３および第４配向領域ＯＲ４の境界線は行方向（ｘ方向）に延びている。第１配向処理方向および第２配向処理方向と、第３配向処理方向および第４配向処理方向とのなす角度はほぼ９０°である。
【００４１】
また、ここでは、第１配向膜２７０の第１、第２配向領域ＯＲ１、ＯＲ２の境界線は、第１、第２配向領域ＯＲ１、ＯＲ２の配向処理方向とほぼ平行であり、第２配向膜３２０の第３、第４配向領域ＯＲ３、ＯＲ４の境界線は、第３、第４配向領域ＯＲ３、ＯＲ４の配向処理方向とほぼ平行である。このように配向処理を行うと、境界線に直交する方向に配向処理が行われている場合に比べて、境界線付近に形成される所定の方向にプレチルト方向を制御できない領域の幅を最小化することができる。
【００４２】
なお、国際公開第２００６／１２１２２０号パンフレットに記載されているように、配向膜２７０、３２０のそれぞれによって規定されたプレチルト角が互いに略等しいことが好ましい。配向膜２７０、３２０のプレチルト角が略等しいことにより、表示輝度特性を向上させることができる。特に、配向膜２７０、３２０によって規定されたプレチルト角の差が１°以内であることにより、液晶層４００の中央付近の液晶分子の基準配向方向を安定に制御することが可能となり、表示輝度特性を向上させることができる。反対に、上記プレチルト角の差が大きくなると、基準配向方向が液晶層内の位置によってばらつき、その結果、所望の透過率よりも低い透過率となる領域が形成され、透過率がばらついてしまう。
【００４３】
図２（ｃ）に示すように、液晶層４００には４つの液晶ドメインＡ、Ｂ、ＣおよびＤが形成される。液晶層４００のうち、第１配向膜２７０の第１配向領域ＯＲ１と第２配向膜３２０の第３配向領域ＯＲ３とに挟まれる部分が液晶ドメインＡとなり、第１配向膜２７０の第１配向領域ＯＲ１と第２配向膜３２０の第４配向領域ＯＲ４とに挟まれる部分が液晶ドメインＢとなり、第１配向膜２７０の第２配向領域ＯＲ２と第２配向膜３２０の第４配向領域ＯＲ４とに挟まれる部分が液晶ドメインＣとなり、第１配向膜２７０の第２配向領域ＯＲ２と第２配向膜３２０の第３配向領域ＯＲ３とに挟まれる部分が液晶ドメインＤとなる。
【００４４】
液晶ドメインＡ〜Ｄの中央の液晶分子の配向方向は、第１配向膜２７０による液晶分子のプレチルト方向と第２配向膜３２０による液晶分子のプレチルト方向との中間の方向となる。本明細書において、液晶ドメインの中央における液晶分子の配向方向であって、液晶分子の長軸に沿って背面から前面に向かう方向の方位角成分を基準配向方向とよぶ。基準配向方向は、対応する液晶ドメインを特徴付けており、各液晶ドメインの視野角依存性に支配的な影響を与える。ここで、表示画面（紙面）の水平方向（左右方向）を方位角方向の基準とし、左回りに正をとる（表示面を時計の文字盤に例えると３時方向を方位角０°として、反時計回りを正とする）と、４つの液晶ドメインＡ〜Ｄの基準配向方向は任意の２つの方向の差が９０°の整数倍に略等しい４つの方向となるように設定されている。具体的には、液晶ドメインＡ、Ｂ、Ｃ、Ｄの方位角は、それぞれ、２２５°、３１５°、４５°、１３５°である。このように、対称的な基準配向方向が実現されているため、視野角特性が均一化され、良好な表示を得ることができる。なお、視野角特性の均一性の観点からは、４つの液晶ドメインの画素領域内に占める面積は互いに略等しいことが好ましい。具体的には、４つの液晶ドメインの内の最大の液晶ドメインの面積と最小の液晶ドメインの面積との差が、最大の面積の２５％以下であることが好ましい。
【００４５】
また、図２（ｃ）に示すように、液晶ドメインＡにはエッジ部ＥＧ１に平行にドメインラインＤＬ１が生じ、液晶ドメインＢにはエッジ部ＥＧ２に平行にドメインラインＤＬ２が形成され、液晶ドメインＣにはエッジ部ＥＧ３に平行にドメインラインＤＬ３が形成され、液晶ドメインＤにはエッジ部ＥＧ４に平行にドメインラインＤＬ４が形成される。４つのドメインラインＤＬ１〜ＤＬ４の長さの合計は、画素電極のエッジの全長の約２分の１になる。エッジ部ＥＧ１（ドメインラインＤＬ１）およびエッジ部ＥＧ３（ドメインラインＤＬ３）は垂直方向に平行であって、エッジ部ＥＧ２（ドメインラインＤＬ２）およびエッジ部ＥＧ４（ドメインラインＤＬ４）は水平方向に平行である。また、液晶ドメインＡ〜Ｄのそれぞれが他の液晶ドメインと隣接する境界領域に、破線で示したディスクリネーションラインＣＬ１が観察される。ディスクリネーションラインＣＬ１は、上述した中央部の暗線である。
【００４６】
図２（ｃ）に示すように、ディスクリネーションラインＣＬ１とドメインラインＤＬ１〜ＤＬ４とは連続的に見えており、逆卍状の暗線が発生している。なお、ここでは、図２（ｃ）に示すように、液晶ドメインＡ〜Ｄの液晶分子の基準配向方向は旋回している一方、図２（ａ）および図２（ｂ）から理解されるように、第１配向膜２７０および第２配向膜３２０の配向処理方向（露光方向）ＰＤ１〜ＰＤ４は旋回していない。
【００４７】
なお、図２（ａ）および図２（ｂ）に示したような第１配向膜２７０および第２配向膜３２０によってプレチルト方向に規定された液晶分子は、印加電圧に応じて実質的に変化するものではない。これに対して、図２（ｃ）に示したような各液晶ドメインの中央の液晶分子は印加電圧が所定の値よりも大きいと、図２（ｃ）に示したように第１配向膜２７０および第２配向膜３２０の主面の法線方向に対して傾くが、印加電圧が所定の値よりも低いと、第１配向膜２７０および第２配向膜３２０の主面の法線方向とほぼ平行に配列される。
【００４８】
ここで、本実施形態の液晶表示装置１００の構成をより詳細に説明する。図３（ａ）は、対向基板３００の模式的な断面図である。また、図３（ｂ）は、アクティブマトリクス基板２００の模式的な断面図であり、図３（ｃ）は、アクティブマトリクス基板２００の模式的な平面図である。なお、図３（ｂ）は、図３（ｃ）のＢ−Ｂ’線に沿った断面である。また、図３（ｄ）は、アクティブマトリクス基板２００におけるドレイン引出し配線２５０のコンタクト部２５２を拡大した模式的平面図である。
【００４９】
図３（ａ）に示すように、対向基板３００は、透明基板３０２と、対向電極３１０とをさらに有している。第２配向膜３２０は対向電極３１０を覆うように設けられている。なお、ここでは図示していないが、必要に応じて、対向基板３００にはブラックマトリクスが設けられている。
【００５０】
図３（ｂ）および図３（ｃ）に示すように、アクティブマトリクス基板２００は、透明基板２０２と、補助容量配線２１０と、ゲート配線２２０と、補助容量配線２１０およびゲート配線２２０を覆う第１絶縁層２２５と、第１絶縁層２２５上に設けられた半導体層２３０、２３２と、ソース配線２４０と、ドレイン引出し配線２５０と、半導体層２３０、２３２、ソース配線２４０およびドレイン引出し配線２５０を覆う第２絶縁層２３５と、第２絶縁層２３５に設けられたコンタクトホールを充填するとともに第２絶縁層２３５を覆う画素電極２６０とをさらに有している。第１配向膜２７０は画素電極２６０を覆うように設けられている。薄膜トランジスタ（Ｔｈｉｎ  Ｆｉｌｍ  Ｔｒａｎｓｉｓｔｏｒ：ＴＦＴ）２８０は、ゲート配線２２０と電気的に接続されたゲート電極２２１と、半導体層２３２と、ソース配線２４０と電気的に接続されたソース電極２４１と、ドレイン引出し配線２５０と電気的に接続されたドレイン電極２５１とから構成されている。なお、半導体層２３０は、いわゆるエッチングストッパとして機能する。第２絶縁層２３５のコンタクトホールに対応して半導体層２３０が設けられており、エッチングによって第２絶縁層２３５にコンタクトホールを形成するときに、少なくとも半導体層２３０の下方にある第１絶縁層２２５があわせてエッチングされることが抑制され、補助容量配線２１０と画素電極２６０との短絡が防止される。
【００５１】
第２絶縁層２３５のコンタクトホールは、ドレイン引出し配線２５０のコンタクト部２５２の一部を露出するように形成されており、第２絶縁層２３５のコンタクトホールに充填された画素電極２６０はドレイン引出し配線２５０と接触している。
【００５２】
補助容量配線２１０は、ｘ方向に延びており、画素電極２６０の中央付近において十字形状を有している。補助容量配線２１０は、第１絶縁層２２５を介してコンタクト部２５２と対向している。
【００５３】
また、ドレイン引出し配線２５０は、ドレイン電極２５１から延びており、画素電極２６０の中央付近において十字形状を有している。ドレイン引出し配線２５０のコンタクト部２５２の長さおよび幅は、ドレイン引出し配線２５０の他の部分よりも大きい。
【００５４】
ドレイン引出し配線２５０のコンタクト部２５２は、画素電極２６０の中心と重なるように配置されており、ゲート配線２２０、ソース配線２４０およびブラックマトリクス（図示せず）と重ならない。また、補助容量配線２１０、ゲート配線２２０およびソース配線２４０は直線状であり、画素電極２６０はＴＦＴ２８０の設けられている部分を除いてほぼ矩形である。
【００５５】
第１配向膜２７０の第１配向領域ＯＲ１の第１配向処理方向ＰＤ１は＋ｙ方向であり、第２配向領域ＯＲ２の第２配向処理方向ＰＤ２は−ｙ方向である。また、第２配向膜３２０の第３配向領域ＯＲ３の第３配向処理方向ＰＤ３が−ｘ方向であり、第４配向領域ＯＲ４の第４配向処理方向ＰＤ４は＋ｘ方向である。ドレイン引出し配線２５０のコンタクト部２５２は、液晶ドメインＡ〜Ｄのそれぞれの一部と重なるように４つの液晶ドメインの中央近傍に設けられており、第１配向膜２７０の第２配向領域ＯＲ２と重なる位置に第２配向処理方向ＰＤ２を示す切欠部２５４を有している。なお、コンタクト部２５２の大きさは、例えば、３０〜４０μｍであり、ここでは、３３μｍである。そのうち切欠部２５４の大きさは、例えば、５〜１０μｍであり、ここでは８μｍである。コンタクト部２５２は画素領域の中央に配置されているため、暗線検査においてコンタクト部２５２の切欠部２５４が視認される。コンタクト部２５２の切欠部２５４は、切欠部２５４と重なる第１配向膜２７０の配向領域（ここでは、第２配向領域ＯＲ２）における設計上の配向処理方向（ここでは、−ｙ方向を示す第２配向処理方向ＰＤ２）を示すように設けられているため、コンタクト部２５２の切欠部２５４を見るだけで、第１配向膜２７０の配向処理方向を特定することができる。
【００５６】
液晶表示装置１００は、少なくともドメインラインの発生する位置を遮光するように設計されている。例えば、画素電極２６０のエッジ部の少なくとも一部はゲート配線２２０、ソース配線２４０およびブラックマトリクス（図示せず）と重なっている。したがって、液晶表示装置１００が設計どおり理想的に作製されていれば、暗線検査において暗線は検出されない。しかしながら、液晶表示装置１００が設計どおり作製されていないと、暗線が異常に発生し、暗線検査において暗線が観察される。
【００５７】
液晶表示装置１００では、コンタクト部２５２の切欠部２５４を見るだけで、第１配向膜２７０の配向処理方向を特定することができ、暗線の設計上の発生位置を特定できる。このため、実際の暗線と設計上の暗線の位置とを比較して、暗線の異常発生の原因を想定することができる。実際の暗線が設計とは異なる位置に発生していれば、配向膜の配向領域が誤って形成されていると想定される。また、実際の暗線が設計上の暗線と同じ位置に発生しているが、それでも暗線が検出される場合、暗線が異常に太く発生しており、第１配向領域と第２配向領域とのアライメントがずれていると想定される。
【００５８】
ここで、本実施形態の液晶表示装置１００の製造方法を説明する。
【００５９】
まず、透明基板２０２を用意する。透明基板２０２は例えばガラス基板である。透明基板２０２上に導電層を堆積し、所定のパターンにパターニングすることにより、補助容量配線２１０およびゲート配線２２０を形成する。
【００６０】
次に、補助容量配線２１０およびゲート配線２２０を覆う第１絶縁層２２５を形成する。第１絶縁層２２５上に半導体層を堆積し、所定のパターンにパターニングすることにより、コンタクト領域の半導体層２３０、および、ＴＦＴ領域の半導体層２３２を形成する。
【００６１】
半導体層２３０、２３２を覆うように導電層を堆積し、パターニングすることにより、ソース配線２４０およびドレイン引出し配線２５０を形成する。次に、ソース配線２４０およびドレイン引出し配線２５０を覆うように絶縁材料を堆積し、エッチングによってコンタクト領域の一部を除去することにより、コンタクトホールを有する第２絶縁層２３５を形成する。第２絶縁層２３５上に画素電極２６０を形成する。
【００６２】
画素電極２６０を覆う第１配向膜２７０を形成する。第１配向膜２７０は、例えば、光配向処理で形成される。国際公開第２００７／０６３７２７号パンフレットは、光配向処理による配向膜の作製方法を開示している。本明細書において、国際公開第２００７／０６３７２７号パンフレットの開示内容を参考のために援用する。
【００６３】
第１配向膜２７０に対して第１配向処理方向ＰＤ１から紫外線を照射するように配置された光源（図示せず）と、第１配向領域ＯＲ１に対応する開口部を有するフォトマスク（図示せず）とを第１配向膜２７０に対して相対的にｙ方向（例えば＋ｙ方向）に走査することにより、列方向に沿って並んだ画素領域に対して第１配向領域ＯＲ１が形成される。露光は、例えば、波長３５０ｎｍ以下の紫外線を用いて行われる。
【００６４】
次に、第１配向膜２７０に対して第２配向処理方向ＰＤ２から紫外線を照射するように配置された光源（図示せず）と、第２配向領域ＯＲ２に対応する開口部を有するフォトマスク（図示せず）とを第１配向膜２７０に対して相対的にｙ方向（例えば−ｙ方向）に走査することにより、列方向に沿って並んだ画素領域に対して第２配向領域ＯＲ２が形成される。以上のようにしてアクティブマトリクス基板２００が作製される。
【００６５】
また、透明基板３０２を用意する。透明基板３０２上に対向電極３１０を形成する。次に、対向電極３１０上に第２配向膜３２０を形成する。第２配向膜３２０を光配向処理で形成する場合、第１配向膜２７０と同様に行う。以上のようにして対向基板３００が作製される。
【００６６】
次に、アクティブマトリクス基板２００と対向基板３００とをアライメントして貼り合わせ、その間に液晶分子を注入することにより、液晶層４００を形成する。以上のように、液晶表示装置１００が作製される。なお、ここでは、１つの液晶表示装置１００の製造工程を説明したが、実際には、同じ製造ラインにおいて、複数の液晶表示装置が連続的に製造されている。
【００６７】
その後、作製された液晶表示装置１００の検査が行われる。一般的な検査方法と同様に点灯用治具を用いて信号を入力しながら、導通検査や表示ムラなどの表示品位に対する検査を行うとともに暗線検査を行う。暗線検査は、透過光量による光透過率の確認、および、顕微鏡を用いた目視検査を行う。このとき、明らかな暗線が検出されると、暗線が設計形状と同形状に発生しているか否かの確認を行う。
【００６８】
例えば、光配向処理で配向膜を形成する場合、暗線の異常発生は、露光方向の誤りやフォトマスクのアライメントずれに起因して起きる。設計とは異なる露光方向から露光が行われると、設計とは異なる配向処理方向の配向領域が形成される。また、上述したように、光配向処理では、フォトマスクの開口部を通過した光が第１配向膜２７０に照射することにより、配向領域が形成されるが、フォトマスクのアライメントがずれると、暗線が設計よりも太くなる。
【００６９】
本実施形態の液晶表示装置１００において、ドレイン引出し配線２５０のコンタクト部２５２には、第１配向膜２７０の第２配向領域ＯＲ２と重なる部分に、第２配向処理方向ＰＤ２を示す切欠部２５４が設けられているため、暗線検査においてコンタクト部２５２の切欠部２５４を視認することができ、第１配向膜２７０の設計上の配向処理方向が特定される。このため、暗線が異常に発生したとき、第１配向膜２７０の設計上の配向処理方向を特定することにより、暗線の設計上の発生位置を特定することができる。実際の暗線と設計上の暗線の位置を比較することにより、暗線が異常に発生している原因が、配向処理方向の誤りに起因するものであるのか、フォトマスクのアライメントずれに起因するものであるのかを想定することができ、同じ製造ラインの配向処理工程にフィードバックさせることができる。このように、液晶表示装置１００では、第１配向膜２７０の設計上の配向処理方向を特定することができるため、暗線の異常発生の原因の解明を容易に行うことができ、同じ製造ラインの配向処理工程にフィードバックすることにより、歩留まりの向上を容易に実現することができる。なお、検査工程では、発生している現象を抽出すること、および、その発生原因を推定することが重要である。上述したように、目視検査においてコンタクト部の形状に基づいて設計上の配向処理方向を特定することにより、より早く不良原因の特定が可能になる。
【００７０】
なお、上述した説明では、図２を参照して配向膜の配向処理方向を説明したが、本発明の液晶表示装置における配向膜の配向処理方向はこれに限定されない。
【００７１】
図４に示すように、第１配向膜２７０の第１配向領域ＯＲ１の第１配向処理方向ＰＤ１は＋ｙ方向であり、第２配向領域ＯＲ２の第２配向処理方向ＰＤ２は−ｙ方向である。また、第２配向膜３２０の第３配向領域ＯＲ３の第３配向処理方向ＰＤ３は＋ｘ方向であり、第４配向領域ＯＲ４の第４配向処理方向ＰＤ４は−ｘ方向である。この場合、液晶ドメインＢのドメインラインＤＬ２が水平方向および垂直方向に連続して発生し、また、液晶ドメインＤのドメインラインＤＬ４が水平方向および垂直方向に連続して発生する。
【００７２】
なお、図４に示した配向処理方向では、ドメインラインが２つの液晶ドメインに形成されているのに対して、図２に示した配向処理方向では、４つの液晶ドメインの液晶分子の基準配向方向が旋回しており、各液晶ドメインにドメインラインが１つ形成されるため、視野角特性を均一化することが容易である。このため、図２に示したように、各液晶ドメインの中央における液晶分子の基準配向方向は旋回していることが好ましい。
【００７３】
また、上述した説明では、ドレイン引出し配線２５０のコンタクト部２５２は、−ｙ方向の配向処理方向を示す切欠部２５４を有していたが、本発明はこれに限定されない。コンタクト部２５２の切欠部２５４は＋ｙ方向の配向処理方向を示してもよい。
【００７４】
図５および図６に示すように、第１配向膜２７０の第１配向領域ＯＲ１の第１配向処理方向ＰＤ１は−ｙ方向であり、第２配向領域ＯＲ２の第２配向処理方向ＰＤ２は＋ｙ方向である。また、第２配向膜３２０の第３配向領域ＯＲ３の第３配向処理方向ＰＤ３は＋ｘ方向であり、第４配向領域ＯＲ４の第４配向処理方向ＰＤ４は−ｘ方向である。この場合、ドメインラインＤＬ〜１ＤＬ４およびディスクリネーションラインＣＬ１を含む暗線は卍状に形成される。
【００７５】
ドレイン引出し配線２５０のコンタクト部２５２は、液晶ドメインＡ〜Ｄのそれぞれの一部と重なるように、４つの液晶ドメインの中央近傍に設けられており、第１配向膜２７０の第２配向領域ＯＲ２側に第２配向処理方向ＰＤ２を示す切欠部２５４を有している。コンタクト部２５２の切欠部２５４は、切欠部２５４と重なる第１配向膜２７０の配向領域（ここでは、第２配向領域ＯＲ２）における設計上の配向処理方向（ここでは、＋ｙ方向を示す第２配向処理方向ＰＤ２）を示すように設けられているため、コンタクト部２５２の切欠部２５４を見るだけで、第１配向膜２７０の設計上の配向処理方向を特定することができる。
【００７６】
あるいは、図７に示すように、第１配向膜２７０の第１配向領域ＯＲ１の第１配向処理方向ＰＤ１は−ｙ方向であり、第２配向領域ＯＲ２の第２配向処理方向ＰＤ２は＋ｙ方向である。また、第２配向膜３２０の第３配向領域ＯＲ３の第３配向処理方向ＰＤ３は−ｘ方向であり、第４配向領域ＯＲ４の第４配向処理方向ＰＤ４は＋ｘ方向である。この場合、液晶ドメインＡのドメインラインＤＬ１が水平方向および垂直方向に連続して発生し、また、液晶ドメインＣのドメインラインＤＬ３が水平方向および垂直方向に連続して発生する。
【００７７】
また、上述した説明では、ドレイン引出し配線２５０のコンタクト部２５２は、第１配向膜２７０の第２配向領域ＯＲ２の第２配向処理方向ＰＤ２を示す切欠部２５４を有していたが、本発明はこれに限定されない。コンタクト部２５２は、第１配向膜２７０の第１配向領域ＯＲ１の第１配向処理方向ＰＤ１を示す切欠部を有していてもよい。
【００７８】
また、上述した説明では、コンタクト部２５２に１つの切欠部２５４が設けられていたが、本発明はこれに限定されない。
【００７９】
図８に示すように、ドレイン引出し配線２５０のコンタクト部２５２は、第１配向領域ＯＲ１の第１配向処理方向ＰＤ１を示す第１切欠部２５４と、第２配向領域ＯＲ２の第２配向処理方向ＰＤ２を示す第２切欠部２５６とを有していてもよい。第１切欠部２５４は、第１配向膜２７０の第１配向領域ＯＲ１と重なる位置に設けられており、第２切欠部２５６は、第１配向膜２７０の第２配向領域ＯＲ２と重なる位置に設けられている。このように、コンタクト部２５２は、２つの配向領域ＯＲ１、ＯＲ２の両方の配向処理方向を示す切欠部２５４、２５６を有していてもよい。なお、第１配向処理方向ＰＤ１は第２配向処理方向ＰＤ２とほぼ反平行であるため、コンタクト部２５２の第１切欠部２５４は第２切欠部２５６と対角の位置にある。
【００８０】
また、１つの画素が２つの副画素を有していてもよい。１つの画素が２つの副画素を有する構造はマルチ画素構造とも呼ばれており、マルチ画素構造の利点は、例えば、特開２００４−６２１４６号公報に記載されている。本願明細書において、この特開２００４−６２１４６号公報の開示内容を参考のために援用する。
【００８１】
図９に示すように、１つの画素は、第１副画素ＳＰＡおよび第２副画素ＳＰＢを有している。副画素電極２６０Ａ、２６０Ｂは、それぞれ、ドレイン引出し配線２５０Ａ、２５０Ｂに接続されており、樹脂層からなる層間絶縁膜（不図示）を介して、ソース配線２４０、ゲート配線２２０および補助容量配線２１０と一部が重なるように、配置されている。ドレイン引出し配線２５０Ａ、２５０Ｂのコンタクト部２５２Ａ、２５２Ｂは、副画素電極２６０Ａ、２６０Ｂの中心近傍と重なるように配置されている。また、副画素電極２６０Ａ、２６０Ｂの中央部には、ドレイン引出し配線２５０Ａ、２５０Ｂと補助容量配線２１０Ａ、２１０Ｂの引出し配線２１２Ａ、２１２Ｂとこれらの間の絶縁層（例えばゲート絶縁層）によって構成される補助容量が形成されている。
【００８２】
副画素電極２６０Ａ、２６０Ｂは、それぞれ、対応するＴＦＴ２８０Ａ、２８０Ｂを介して共通のソース配線２４０に接続されている。２つのＴＦＴ２８０Ａ、２８０Ｂは共通のゲート配線２２０でＯＮ／ＯＦＦ制御される。各副画素電極２６０Ａ、２６０Ｂは、液晶層４００と、液晶層４００を挟んでこれらに対向する対向電極（図９には図示せず）とで液晶容量を構成している。各副画素電極２６０Ａ、２６０Ｂに対応する液晶容量に電気的に並列にそれぞれ補助容量が形成されている。補助容量を構成する一方の電極（補助容量電極）は、副画素電極と同じＴＦＴのドレイン電極２５１に接続されたドレイン引出し配線２５０のコンタクト部２５２で構成され、他方の電極（補助容量対向電極）は２つの副画素電極に対して電気的に独立に設けられた補助容量配線の引出し配線２１２Ａ、２１２Ｂによって構成されている。
【００８３】
一方の副画素に属する補助容量に補助容量配線から供給される補助容量対向電圧が、例えば、ＴＦＴがオフにされた後上昇し、他方の副画素に属する補助容量に補助容量配線から供給される補助容量対向電圧が、当該ＴＦＴがオフにされた後下降することによって、２つの副画素の液晶層に印加される実効電圧が異なり、それによって、ソース配線から供給された表示信号電圧に対して、２つの異なる輝度（一方は高輝度、他方は低輝度）を呈し、γ特性の視野角依存性を改善することができる。なお、図９に示したようにマルチ画素構造を採用している場合、１画素内の２つの副画素が実質的にＸ軸に対称に配置されるため、画素内の構造（例えば、ドレイン引き出し配線と半導体層の位置関係）に基づいて配向処理方向を決定すると検査時に混乱が生じるが、コンタクト部に切欠き形状を設けることにより、いずれの副画素とも一律の方向に目印が配置されるため、このような混乱を回避することができる。
【００８４】
また、図１０に示すように、第１副画素ＳＰＡにおけるドレイン引出し配線２５０Ａのコンタクト部２５２Ａは、第１切欠部２５４Ａおよび第２切欠部２５６Ａを有しており、また、第２副画素ＳＰＢにおけるドレイン引出し配線２５０Ｂのコンタクト部２５２Ｂは、第１切欠部２５４Ｂおよび第２切欠部２５６Ｂを有していてもよい。コンタクト部２５２Ａの第１切欠部２５４Ａおよびコンタクト部２５２Ｂの第１切欠部２５４Ｂはいずれも第１配向膜２７０の第１配向領域ＯＲ１の第１配向処理方向ＰＤ１を示す位置に設けられている。また、コンタクト部２５２Ａの第２切欠部２５６Ａおよびコンタクト部２５２Ｂの第２切欠部２５６Ｂはいずれも第１配向膜２７０の第２配向領域ＯＲ２の第２配向処理方向ＰＤ２を示す位置に設けられている。このため、第１切欠部２５４Ａおよび２５４Ｂは同一方向に形成されており、また、第２切欠部２５６Ａおよび２５６Ｂは同一方向に形成されている。
【００８５】
また、上述した説明では、配線は直線状に設けられていたが、本発明はこれに限定されない。特許文献３に開示されているように、補助容量配線、ゲート配線、ソース配線、ドレイン引出し配線および画素電極が、折り曲げられた形状や変動した幅を有していることにより、画素電極のエッジ部を遮光してもよい。
【００８６】
例えば、図１１に示すように、ソース配線２４０が、ドメインラインの発生するエッジ部を遮光するように折り曲げられ、画素電極２６０Ａ、２６０Ｂのエッジが補助容量配線およびゲート配線と重なるように、凹凸形状を有していてもよい。なお、このような構成であると、設計上の配向処理方向を特定することができるが、例えば、配線が折り曲げられた形状や変動した幅を有している場合、特に配線が細いと断線しやすい。また、配線が折り曲げ形状を有していると、画素電極２６０Ａ、２６０Ｂの電位に影響し、結果として、液晶分子の配向に影響が生じてしまう。また、ドレイン引出し配線２５０Ａ、２５０Ｂが折り曲げ形状を有しており、ドレイン引出し配線２５０Ａ、２５０Ｂが長く、その面積が大きくなるほど、表面反射によってコントラストが低下する。これに対して、本実施形態の液晶表示装置では、配線が直線状の構成であっても、設計上の配向処理方向を容易に特定することができる。
【００８７】
なお、本実施形態の液晶表示装置でも、特許文献３に開示されている液晶表示装置と同様に、暗線を独立に遮光してもよいし、暗線を一体的に遮光してもよい。
【００８８】
なお、上述した説明では、光配向処理は、アクティブマトリクス基板２００の第１配向膜２７０に対して縦方向（列方向）に傾斜した方向から光の照射が行われ、対向基板３００の第２配向膜３２０に対して横方向（行方向）に傾斜した方向から光の照射が行われたが、本発明はこれに限定されない。アクティブマトリクス基板２００の第１配向膜２７０に対して横方向（行方向）に傾斜した方向から光の照射が行われてもよく、対向基板３００の第２配向膜３２０に対して縦方向（列方向）に傾斜した方向から光の照射が行われてもよい。
【００８９】
また、上述した説明では、４つの配向分割が行われたが、本発明はこれに限定されない。背面基板において異なる配向処理が行われていれば、配向分割される数は４つ以外の数であってもよい。
【００９０】
なお、上述した説明では、ＴＦＴ型の液晶表示装置を説明したが、本発明はこれに限定されない。本発明は他の駆動方式の液晶表示装置であってもよい。
【産業上の利用可能性】
【００９１】
本発明の液晶表示装置により、暗線の設計上の発生位置の特定を容易にすることできる。これにより、視野角特性が良好で高速駆動可能な液晶表示装置の歩留まりを容易に向上させることができる。
【図面の簡単な説明】
【００９２】
【図１】本発明による液晶表示装置の実施形態を示す模式図である。
【図２】（ａ）は本実施形態の液晶表示装置における第１配向膜に規定された液晶分子を示す模式図であり、（ｂ）は第２配向膜に規定された液晶分子を示す模式図であり、（ｃ）は各液晶ドメインの中央の液晶分子を示す模式図である。
【図３】（ａ）は本実施形態の液晶表示装置における対向基板の模式的な断面図であり、（ｂ）は本実施形態の液晶表示装置におけるアクティブマトリクス基板の模式的な断面図であり、（ｃ）はアクティブマトリクス基板の模式的な平面図であり、（ｄ）はアクティブマトリクス基板におけるドレイン引出し配線のコンタクト部を拡大した模式的平面図である。
【図４】（ａ）は本実施形態の液晶表示装置の変形例における第１配向膜に規定された液晶分子を示す模式図であり、（ｂ）は第２配向膜に規定された液晶分子を示す模式図であり、（ｃ）は各液晶ドメインの中央の液晶分子を示す模式図である。
【図５】（ａ）は本実施形態の液晶表示装置の変形例における第１配向膜に規定された液晶分子を示す模式図であり、（ｂ）は第２配向膜に規定された液晶分子を示す模式図であり、（ｃ）は各液晶ドメインの中央の液晶分子を示す模式図である。
【図６】図５に示した液晶表示装置のアクティブマトリクス基板におけるドレイン引出し配線のコンタクト部を拡大した模式的平面図である。
【図７】（ａ）は本実施形態の液晶表示装置の変形例における第１配向膜に規定された液晶分子を示す模式図であり、（ｂ）は第２配向膜に規定された液晶分子を示す模式図であり、（ｃ）は各液晶ドメインの中央の液晶分子を示す模式図である。
【図８】本実施形態の液晶表示装置の変形例におけるアクティブマトリクス基板のドレイン引出し配線のコンタクト部を拡大した模式的平面図である。
【図９】本実施形態の液晶表示装置の変形例を示す模式的な平面図である。
【図１０】本実施形態の液晶表示装置の変形例を示す模式的な平面図である。
【図１１】本実施形態の液晶表示装置の変形例を示す模式的な平面図である。
【符号の説明】
【００９３】
１００  液晶表示装置
２００  背面基板、アクティブマトリクス基板
２０２  透明基板
２１０  補助容量配線
２２０  ゲート配線
２２１  ゲート電極
２２５  第１絶縁層
２３０  半導体層
２３２  半導体層
２３５  第２絶縁層
２４０  ソース配線
２４１  ソース電極
２５０  ドレイン引出し配線
２５１  ドレイン電極
２５２  コンタクト部
２５４  切欠部
２６０  画素電極
２７０  第１配向膜
２８０  ＴＦＴ
３００  前面基板、対向基板
３０２  透明基板
３１０  対向電極
３２０  第２配向膜
４００  液晶層
【図１】
2009109767.tif 000003
【図２】
2009109767.tif 000004
【図３】
2009109767.tif 000005
【図４】
2009109767.tif 000006
【図５】
2009109767.tif 000007
【図６】
2009109767.tif 000008
【図７】
2009109767.tif 000009
【図８】
2009109767.tif 000010
【図９】
2009109767.tif 000011
【図１０】
2009109767.tif 000012
【図１１】
2009109767.tif 000013